【手続補正書】
【提出日】平成22年1月20日(2010.1.20)
【手続補正１】
【補正対象書類名】明細書
【補正対象項目名】特許請求の範囲
【補正方法】変更
【補正の内容】
【特許請求の範囲】
【請求項１】  担体上に標的物質と特異的に結合可能なプローブを含有する溶液を付与することでプローブ担体を製造するために前記プローブ溶液を吐出するための吐出部と、前記吐出部に供給するための互いに異なるプローブ溶液を保持した複数の容器とを有するプローブ担体製造装置により製造されたプローブ担体を、識別標識の読取装置を有するプローブ担体管理装置を使用して管理する方法であって、前記容器の各々には識別標識が付されており、前記プローブ担体管理装置が、
前記読取装置を用いて、前記複数の容器に付された識別標識を所定の順序に従って読み取り、
前記読み取られた複数の識別標識に関する情報と、記憶装置に所定の順序で記憶した複数の識別標識に関する情報とを比較し、
該比較の結果を通知することを含み、
前記プローブ担体は担体にプローブを取り付けることにより構成されることを特徴とするプローブ担体の管理方法。
【請求項２】  前記複数の容器は、前記吐出部に取り付けられていることを特徴とする請求項１に記載のプローブ担体の管理方法。
【請求項３】  前記複数の容器は、所定の配列を形成していることを特徴とする請求項１または２に記載のプローブ担体の管理方法。
【請求項４】  前記識別標識は、バーコードであることを特徴とする請求項１〜３のいずれかに記載のプローブ担体の管理方法。
【請求項５】  担体上に標的物質と特異的に結合可能なプローブを含有する溶液を付与することでプローブ担体を製造するために前記プローブ溶液を吐出するための吐出部と、
前記吐出部に供給するための互いに異なるプローブ溶液を保持した複数の容器とを備え、
前記複数の容器の各々には識別標識が付されており、
前記装置は、プローブ用のスポットが前記担体上に二次元配列で固定されるように前記プローブを前記担体に取り付けることを特徴とするプローブ担体製造装置。
【請求項６】  前記複数の容器は、前記吐出部に取り付けられていることを特徴とする請求項５に記載のプローブ担体製造装置。
【請求項７】  前記複数の容器は、所定の配列を形成していることを特徴とする請求項５または６に記載のプローブ担体製造装置。
【請求項８】  前記識別標識は、バーコードであることを特徴とする請求項５〜７のいずれかに記載のプローブ担体製造装置。
【請求項９】  請求項５〜８のいずれかに記載のプローブ担体製造装置を使用して製造されたプローブ担体を管理するプローブ担体管理装置であって、
複数の前記識別標識を所定の順序で記憶した記憶手段と、
前記複数の容器に付された識別標識を所定の順序に従って読み取る読取手段と、
前記読み取られた複数の識別標識に関する情報と、前記記憶手段に記憶した複数の識別標識に関する情報とを比較する比較手段と、
該比較手段による比較の結果を通知する通知手段と
を備えたことを特徴とするプローブ担体管理装置。
【手続補正２】
【補正対象書類名】明細書
【補正対象項目名】０００５
【補正方法】変更
【補正の内容】
【０００５】
また、ＤＮＡチップ等のプローブ担体を製品化して市場を流通させる場合、製造段階から流通段階を経て遺伝子診断等に使用されるまでの間に、プローブ担体に不具合が発生する可能性がある。この不具合の原因としては、
（１）製造段階におけるプローブの取り違い、プローブの変質、あるいは複数種類のプローブの混合
（２）流通段階にけるプローブの変質
（３）検査段階における検査結果の誤認
等が考えられる。しかしながら、プローブ担体の不具合は通常検査段階において発見されるものであるため、適切な管理がなされなければ不具合の発生原因を特定することができないという問題があった。
【手続補正３】
【補正対象書類名】明細書
【補正対象項目名】０００７
【補正方法】変更
【補正の内容】
【０００７】
【課題を解決するための手段】
本発明は、上記目的を達成するために、請求項１に記載の発明は、担体上に標的物質と特異的に結合可能なプローブを含有する溶液を付与することでプローブ担体を製造するために前記プローブ溶液を吐出するための吐出部と、前記吐出部に供給するための互いに異なるプローブ溶液を保持した複数の容器とを有するプローブ担体製造装置により製造されたプローブ担体を、識別標識の読取装置を有するプローブ担体管理装置を使用して管理する方法であって、前記容器の各々には識別標識が付されており、前記プローブ担体管理装置が、前記読取装置を用いて、前記複数の容器に付された識別標識を所定の順序に従って読み取り、前記読み取られた複数の識別標識に関する情報と、記憶装置に所定の順序で記憶した複数の識別標識に関する情報とを比較し、該比較の結果を通知する含み、前記プローブ担体は担体にプローブを取り付けることにより構成されることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、請求項５に記載の発明は、プローブ担体製造装置であって、担体上に標的物質と特異的に結合可能なプローブを含有する溶液を付与することでプローブ担体を製造するために前記プローブ溶液を吐出するための吐出部と、前記吐出部に供給するための互いに異なるプローブ溶液を保持した複数の容器とを備え、前記複数の容器の各々には識別標識が付されており、前記装置は、プローブ用のスポットが前記担体上に二次元配列で固定されるように前記プローブを前記担体に取り付けることを特徴とする。
【手続補正９】
【補正対象書類名】明細書
【補正対象項目名】００１６
【補正方法】変更
【補正の内容】
【００１６】
また、請求項６に記載の発明は、請求項５に記載のプローブ担体製造装置において、前記複数の容器は、前記吐出部に取り付けられていることを特徴とする。
【手続補正１０】
【補正対象書類名】明細書
【補正対象項目名】００１７
【補正方法】変更
【補正の内容】
【００１７】
また、請求項７に記載の発明は、請求項５または６に記載のプローブ担体製造装置において、前記複数の容器は、所定の配列を形成していることを特徴とする。
【手続補正１１】
【補正対象書類名】明細書
【補正対象項目名】００１８
【補正方法】変更
【補正の内容】
【００１８】
また、請求項８に記載の発明は、請求項５〜７のいずれかに記載のプローブ担体製造装置において、前記識別標識は、バーコードであることを特徴とする。
【手続補正１２】
【補正対象書類名】明細書
【補正対象項目名】００１９
【補正方法】変更
【補正の内容】
【００１９】
また、請求項９に記載の発明は、請求項５〜８のいずれかに記載のプローブ担体製造装置を使用して製造されたプローブ担体を管理するプローブ担体管理装置であって、複数の前記識別標識を所定の順序で記憶した記憶手段と、前記複数の容器に付された識別標識を所定の順序に従って読み取る読取手段と、前記読み取られた複数の識別標識に関する情報と、前記記憶手段に記憶した複数の識別標識に関する情報とを比較する比較手段と、該比較手段による比較の結果を通知する通知手段とを備えたことを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
【発明の実施の形態】
本発明において、担体に固定されるプローブは、特定の標的物質に対して特異的に結合可能なものである。さらに、このプローブは、特定の標的を認識し得るオリゴヌクレオチド、ポリヌクレオチド、あるいはその他のポリマーなどが含まれる。用語「プローブ」は、個々のポリヌクレオチド分子などのプローブ機能を有する分子、および分散した位置に表面固定された同じ配列のポリヌクレオチドなどの同じプローブ機能を有する分子の集団の両方をいい、しばしばリガンドと呼ばれる分子も含まれる。また、プローブおよび標的は、しばしば交換可能に使用され、リガンド−抗リガンド（レセプターと呼ぶこともある）対の一部として標的と結合し得るか、または結合するようになり得るものである。本発明におけるプローブおよび標的は、天然において見いだされるような塩基、またはその類似物を含み得る。
【手続補正１５】
【補正対象書類名】明細書
【補正対象項目名】００６０
【補正方法】変更
【補正の内容】
【００６０】
【発明の効果】
以上説明したように、本発明によれば、プローブ担体作製中に発生した不具合を防止することができる。結果として、適切な品質管理を行うことができる。